(57)【要約】  内視鏡１の操作部３に取り付けられた映像表示装置４は、収容空間５Ｓを有する装置本体５と、収容開口５ｍを閉塞する蓋体１０と、蓋体１０を装置本体５に対して軸支するヒンジ軸３１と、収容開口５ｍより外側に形成されたヒンジ軸３１が挿通される本体側軸保持部５１と、蓋体１０に形成されヒンジ軸３１が挿通される蓋側軸保持部１１、１２と、ヒンジ軸３１より外周側に設けられ、蓋側軸保持部１１、１２と本体側軸保持部５１との隙間からヒンジ軸３１への液体の侵入を防止する第１のシール部材３２と、蓋側軸保持部１１、１２の一方に設けられヒンジ軸３１が挿入される段付き孔１５部内に配置されるヒンジ蓋３３と、段付き孔１５内に設けられヒンジ軸３１への液体の侵入を防止する第２のシール部材３４と、を備える。
2017126161.tif 000002
【特許請求の範囲】
【請求項１】
内視鏡挿入部の基端側に設けられた操作部に取り付けられた映像表示装置を備え、
前記映像表示装置は、
収納部を有する装置本体と、
前記収納部の開口を閉塞可能な蓋体と、
前記蓋体を前記装置本体に対して回動自在に軸支するヒンジ軸と、
前記装置本体の前記開口より外側に形成され、前記ヒンジ軸が挿通配置される孔を有する本体側軸保持部と、
前記蓋体に形成され、前記ヒンジ軸が挿通配置される孔を有し、前記本体側軸保持部に隣設される蓋側軸保持部と、
前記ヒンジ軸の外周側であって、前記蓋側軸保持部と前記本体側軸保持部との間に介装され、前記蓋側軸保持部と前記本体側軸保持部との隙間から前記ヒンジ軸への液体の侵入を防止する第１のシール部材と、
前記蓋側軸保持部、または、前記本体側軸保持部の一方に設けられた前記ヒンジ軸が挿入されるヒンジ軸挿入口部内に配置されるヒンジ蓋と、
前記ヒンジ軸挿入口部内に設けられ、前記ヒンジ軸挿入口部と前記ヒンジ蓋との隙間から前記ヒンジ軸への液体の侵入を防止する第２のシール部材と、
を備えることを特徴とする内視鏡。
【請求項２】
前記第１のシール部材は、該第１のシール部材の外表面を外部に対して露出して配置されることを特徴とする請求項１に記載の内視鏡。
【請求項３】
前記本体側軸保持部を前記装置本体の予め定めた位置に１つ設け、
前記蓋体に前記本体側軸保持部に対して挟持配置される２つの蓋側軸保持部を設ける構成において、
前記２つの蓋側軸保持部の少なくとも一方に前記ヒンジ軸挿入口部を設けることを特徴とする請求項１に記載の内視鏡。
【請求項４】
前記蓋側軸保持部を前記蓋体の予め定めた位置に１つ設け、
前記装置本体に前記蓋側軸保持部に対して挟持配置される２つの本体側軸保持部を設ける構成において、
前記２つの本体側軸保持部の少なくとも一方に前記ヒンジ軸挿入口部を設けたことを特徴とする請求項１に記載の内視鏡。
【請求項５】
前記ヒンジ軸と前記ヒンジ蓋とは一体であることを特徴とする請求項１に記載の内視鏡。
【発明の詳細な説明】
【技術分野】
【０００１】
本発明は、映像表示装置が一体に取り付けられた内視鏡に関する。
【背景技術】
【０００２】
近年、内視鏡は、医療分野、工業分野等において使用されている。内視鏡には、挿入部の先端部に撮像装置を内蔵したビデオスコープと、挿入部内に光ファイバーを束ねたイメージガイドを挿通したファイバースコープと、がある。【０００３】
日本国特開２００５−１９２７３８号公報には小型の映像表示装置が一体になって携帯に適した内視鏡装置が開示されている。映像表示装置は、内視鏡の操作部に取り付けられており、該映像表示装置にはＬＣＤ等の表示素子、画像記録装置、撮像素子制御回路、及び表示素子制御回路が内蔵されている。また、映像表示装置の筐体内部には、光源装置、撮像素子、表示素子、画像記録装置、各種制御回路に電力を供給するバッテリが着脱可能に内蔵されている。【０００４】
映像表示装置の筐体内部には、バッテリおよび記録媒体を装填するための装填部が設けられている。バッテリおよび記録媒体を装填可能にする装填口は、蓋体によって塞がれるようになっている。【０００５】
そして、蓋体は、ヒンジ部を介して筐体に対して開閉自在に連結されている。具体的に、蓋体は、ピンを介して筐体に固定された座板に連結されることで回動自在に支持される構造である。また、蓋体は、ロック機構によって予期せぬ開放が防止されている。ロック機構は、ヒンジ部に連結された蓋体の他方の側縁に設けられた爪部に対し係合可能な凹部を有する係合部、爪部に係合した係合部を筐体側に引き付けて定位置に固定するレバーを備えている。【０００６】
携帯に適した内視鏡装置が例えば医療用途の場合、手術室に加えて、処置室、或いは、病室での使用等が可能になる。そして、医療用途で使用された内視鏡は、使用後、十分に洗浄消毒されて清潔にされる。  
しかしながら、前述した携帯に適した内視鏡装置の内視鏡では、操作部に映像表示装置が取り付けられていることによって映像表示装置のない内視鏡に比べて洗浄に手間がかかる。これは、映像表示装置では蓋体を回動自在に支持するために設けられたヒンジ部を構成する蓋体と座板との隙間からピンが外部に対して露出しているなど、洗浄消毒作業をより丁寧にする必要がある構成を有するためである。【０００７】
本発明は、上記事情に鑑みてなされたものであり、映像表示装置に設けられた蓋体のヒンジ部の洗浄作業を容易、且つ、確実に行える内視鏡を提供することを目的にしている。
【発明の開示】
【課題を解決するための手段】
【０００８】
本発明の一態様における内視鏡は、内視鏡挿入部の基端側に設けられた操作部に取り付けられた映像表示装置を備え、前記映像表示装置は、収納部を有する装置本体と、前記収納部の開口を閉塞可能な蓋体と、前記蓋体を前記装置本体に対して回動自在に軸支するヒンジ軸と、前記装置本体の前記開口より外側に形成され、前記ヒンジ軸が挿通配置される孔を有する本体側軸保持部と、前記蓋体に形成され、前記ヒンジ軸が挿通配置される孔を有し、前記本体側軸保持部に隣設される蓋側軸保持部と、前記ヒンジ軸の外周側であって、前記蓋側軸保持部と前記本体側軸保持部との間に介装され、前記蓋側軸保持部と前記本体側軸保持部との隙間から前記ヒンジ軸への液体の侵入を防止する第１のシール部材と、前記蓋側軸保持部、または、前記本体側軸保持部の一方に設けられた前記ヒンジ軸が挿入されるヒンジ軸挿入口部内に配置されるヒンジ蓋と、前記ヒンジ軸挿入口部内に設けられ、前記ヒンジ軸挿入口部と前記ヒンジ蓋との隙間から前記ヒンジ軸への液体の侵入を防止する第２のシール部材と、を備えている。
【図面の簡単な説明】
【０００９】
【図１】映像表示装置を備えた内視鏡を説明する二面図であって、正面図とその左側面図
【図２】図１の左側面図に記載された映像表示装置を説明する拡大図
【図３】蓋体を開放状態にした装置本体を説明する図
【図４Ａ】図２の矢印Ｙ４Ａ−Ｙ４Ａ線断面図を含む、蓋体を装置本体に回動自在に連結するヒンジ部を説明する図
【図４Ｂ】第１蓋側軸保持部に設けられ段付き孔と、ヒンジ蓋及び第２のＯリングとの関係を説明する図
【図５Ａ】組付手順を説明する図であって、第１のＯリングを配置した本体側保持部及び第２のＯリングを配置したヒンジ蓋を示す図
【図５Ｂ】組付手順を説明する図であって、本体側保持部に対して蓋体の第１蓋側軸保持部と第２蓋側軸保持部とを挟持配置した状態を示す図
【図５Ｃ】組付手順を説明する図であって、ヒンジ軸と、ヒンジ軸が挿通配置される軸用孔、軸貫通孔、及び止まり孔とを説明する図
【図５Ｄ】組付手順を説明する図であって、軸用孔、軸貫通孔、及び止まり孔内に配置されたヒンジ軸と、第２のＯリングを配置したヒンジ蓋との関係を説明する図
【図５Ｅ】組付完了状態を示す図であって、水密空間内に配置されたヒンジ軸を説明する図
【図６】図２の矢印Ｙ６方向から映像表示装置を見た図
【図７Ａ】ヒンジ軸の変形例を示す図
【図７Ｂ】第２蓋側軸保持部の変形例を説明する図
【図７Ｃ】ヒンジ部の変形例であって、１つの蓋側軸保持部と一対の本体側保持部とを有する構成例を説明する図
【図８】開閉装置を含む蓋体と装置本体とを説明する図
【図９】蓋体が装置本体の収容開口を塞いで閉状態を説明する図
【図１０】図９のＹ１０−Ｙ１０線断面図であって、装置本体裏側面に設けられたカム面を説明する図
【図１１】カム面が有する傾斜面と平坦面との関係を説明する図
【発明を実施するための最良の形態】
【００１０】
以下、図面を参照して本発明の実施の形態を説明する。  
なお、以下の説明に用いる各図において、各構成要素を図面上で認識可能な程度の大きさとするため、構成要素毎に縮尺を異ならせてあるものもある。また、本発明は、これらの図に記載された構成要素の数量、構成要素の形状、構成要素の大きさの比率、及び各構成要素の相対的な位置関係のみに限定されるものではない。  
図１に示す内視鏡１は、所謂、携帯型内視鏡であって、挿入部２と、操作部３と、映像表示装置４と、を備えて主に構成されている。【００１１】
挿入部２は、先端側から順に、先端部２ａ、湾曲部２ｂ、及び可撓管部２ｃを連設している。可撓管部２ｃは、予め定めた可撓性を有するチューブ体である。湾曲部２ｂは、例えば上下方向に湾曲する構成になっている。【００１２】
符号３Ｌは、湾曲操作レバーであり、操作部３を把持するユーザの手の指、例えば親指で操作可能である。湾曲操作レバー３Ｌは、軸３ａを中心に回動自在である。湾曲部２ｂは、湾曲操作レバー３Ｌの回動操作に伴って湾曲ワイヤ（不図示）が牽引弛緩されることによって上方向、または、下方向に湾曲動作する。  
なお、符号３ｍは、処置具挿通口であり、鉗子等の内視鏡処置具を挿入するための導入口である。符号３Ｆは、操作部正面であり、操作部正面３Ｆは、ユーザが湾曲操作レバー３Ｌを操作するとき、ユーザの正面に対峙する面である。【００１３】
映像表示装置４は、装置本体５と、表示部６と、を有している。表示部６の図中上面である表側面には表示画面６ａが設けられている。表示部６は、装置本体５に対して回動自在に軸支されている。したがって、表示部６の表示画面６ａの向きは、術者に対して変更可能である。【００１４】
装置本体５は、本体取付部５ａを有し、本体取付部５ａの一面が操作部３の基端面に対して取付固定される。装置本体５には収納部である収容空間５Ｓを閉塞する蓋体１０がヒンジ部(図２の符号３０参照)を介して回動自在に取り付けられている。符号２１は、開閉装置２０の摘まみである。摘まみ２１は、ユーザが操作部３を左手で把持したとき、操作部正面３Ｆが身体の正面に対峙した状態のとき右手で操作し易いように該操作部正面３Ｆを見て右側に設けてある。【００１５】
なお、符号７は、吸引口金であり、体液等を吸引するための吸引バルブ８が取り付けられる。吸引バルブ８は、接続部８ａを備え、該接続部８ａには図示されていない吸引装置から延出された吸引チューブが接続される。符号９は、通気口金であり、漏水検査の際に使用される。通気口金９には図示されていない給気装置から延出された給気チューブが接続される。【００１６】
ここで、図１−図４Ｂを参照して映像表示装置４を説明する。  
図１に示すように映像表示装置４は、操作部３の基端面に対して取り付け固定されている。ユーザが操作部３を把持して挿入部２を鉛直方向に垂れ下げた状態のとき、装置本体５の上面に設置された表示部６の表示画面６ａはユーザの前面に対峙するように水平に対して予め定めた角度、傾いて配置されている。【００１７】
すなわち、図２に示すように本体取付部５ａの一面である載置面５ｂは、予め定めた角度θの傾斜面として形成されている。  
蓋体１０は、閉状態であって、摘まみ２１を時計回りに９０度回転することによって開放可能になる。【００１８】
蓋体１０を開放状態にすることによって、図３に示すように収容空間５Ｓが露呈される。  
収容空間５Ｓにはバッテリ収容部５Ｓ１及び媒体収容部５Ｓ２が含まれている。バッテリ収容部５Ｓ１にはバッテリ９１が装填され、媒体収容部５Ｓ２には記録媒体９２が装填されるようになっている。  
バッテリ９１は、表示素子、画像記録装置、制御回路、光源装置に電力を供給する。符号５ｍは収容開口である。【００１９】
蓋体１０の裏面１０ｒ側には裏板１３が一体に設けられている。裏板１３には弾性部材であって収容開口５ｍの外側に沿って配置される水密保護部材１４が配置されている。水密保護部材１４は、蓋体１０を閉状態にしたとき、装置本体５が有するの収容開口５ｍの外側に密着して配置される。水密保護部材１４が密着配置されることによって収容空間５Ｓ内に水等の液体が浸入することが防止される。【００２０】
また、裏板１３には摘まみ２１に一体に設けられたシャフト（図８の符号２２参照）、ロックプレート２３等が配置されている。符号２３ａは係止爪であって、ロックプレート２３の外周面から予め定めた量突出している。【００２１】
図３、図４Ａに示すようにヒンジ部３０は、ヒンジ軸３１と、本体側軸保持部５１と、一対の蓋側軸保持部１１、１２と、一対の第１のシール部材３２と、ヒンジ蓋３３と、１つの第２のシール部材３４と、を有している。【００２２】
ヒンジ軸３１は、断面外径が円形の軸部材であり、予め定めた長さに設定されている。第１のシール部材３２は、予め定めた弾性力を有する弾性部材であって、例えばＯリング（以下、第１のＯリング３２と記載）である。ヒンジ蓋３３は、軸部３５と、フランジ部３６と、を有する、所謂、ネジ状部材である。軸部３５は、雄ネジ部として予め定めた長さに設定されて形成されている。第２のシール部材３４も予め定めた弾性力を有する弾性部材であって、例えばＯリング（以下、第２のＯリング３４と記載）である。【００２３】
本体側軸保持部５１は、装置本体５に設けられている。本体側軸保持部５１は、収容空間５Ｓの収容開口５ｍより外側の予め定めた位置に設けられた突起部である。本体側軸保持部５１には凸部５２ａ、５２ｂが設けられている。凸部５２ａ、５２ｂにはそれぞれ第１のＯリング３２が配置されるようになっている。【００２４】
凸部５２ａ、５２ｂに配置された第１のＯリング３２は、押し潰された状態において、該凸部５２ａ、５２ｂの端面より予め定めた寸法出っ張るようにその厚み及び弾性力が設定されている。【００２５】
一方、第１蓋側軸保持部１１及び第２蓋側軸保持部１２は、蓋体１０の一短辺１０ａの中間部に凹部１０ｂを形成して形作られる。凹部１０ｂ内には本体側軸保持部５１が配置される。【００２６】
つまり、本体側軸保持部５１は、第１蓋側軸保持部１１と第２蓋側軸保持部１２との間に配置されるようになっている。この配置状態において、本体側軸保持部５１と第１蓋側軸保持部１１との間、及び、本体側軸保持部５１と第２蓋側軸保持部１２との間に第１のＯリング３２が配置される。【００２７】
本体側軸保持部５１、第１蓋側軸保持部１１、第２蓋側軸保持部１２には、それぞれヒンジ軸３１を挿通配置するための孔が形成されている。  
本体側軸保持部５１に形成される孔は、軸貫通孔５３であって、ヒンジ軸３１の中途部が予め定めた嵌め合いで配置される。軸貫通孔５３の開口は、それぞれ第１の凸部５２ａの端面及び第２の凸部５２ｂの端面に形成されている。【００２８】
第２蓋側軸保持部１２に形成される孔は、止まり孔１６であって、ヒンジ軸３１の端部が予め定めた嵌め合いで配置される。止まり孔１６の深さは、予め定めた寸法に設定されている。【００２９】
第１蓋側軸保持部１１に形成される孔は、段付き孔１５であってヒンジ軸挿入口部である。図４Ｂに示すように段付き孔１５は、第１穴１５ａ、第２穴１５ｂ、軸用孔１５ｃを有している。第１穴１５ａは、最も大径で、軸用孔１５ｃが最も小径である。第２穴１５ｂは、第１穴１５ａと軸用孔１５ｃとの中間の内径である。【００３０】
軸用孔１５ｃにはヒンジ軸３１の端部が配置され、第１穴１５ａには第２のＯリング３４、及び、ヒンジ蓋３３が配置され、第２穴１５ｂにはヒンジ蓋３３の軸部３５が配置される。第２穴１５ｂの内周面には軸部３５の雄ネジ部に螺合する雌ネジ部が形成されている。  
なお、第２のＯリング３４は、第１穴１５ａの底面１５ｄ側に配置される。【００３１】
ここで、図５Ａ−図５Ｅを参照して蓋体１０の装置本体５への組み付け例を説明する。【００３２】
作業者は、図５Ａに示すように第１のＯリング３２を本体側軸保持部５１の第１の凸部５２ａと第２の凸部５２ｂとに配置しておく。また、第２のＯリング３４をヒンジ蓋３３の軸部３５の根本側に配置しておく。【００３３】
次に、作業者は、蓋体１０の蓋側軸保持部１１、１２を第１のＯリング３２の弾性力に抗して本体側軸保持部５１に配置する。作業者は、図５Ｂに示すように止まり孔１６の中心軸と、軸貫通孔５３の中心軸と、段付き孔１５の中心軸と、が略一致した状態の軸挿通孔１０Ｈになるように蓋側軸保持部１１、１２を本体側軸保持部５１に挟持配置させる。【００３４】
上述した挟持配置状態において、２つの第１のＯリング３２は、それぞれ押し潰されて弾性変形する。すなわち、一方の第１のＯリング３２は、本体側軸保持部５１の側面と第１蓋側軸保持部１１の側面とに密着し、他方の第１のＯリング３２は、本体側軸保持部５１の側面と第２蓋側軸保持部１２の側面とに密着する。【００３５】
この結果、本体側軸保持部５１と第１蓋側軸保持部１１との隙間は、一方の第１のＯリング３２によって閉塞されて、隙間から軸挿通孔１０Ｈ内に水等の液体が浸入することを防止する水密状態に保持される。一方、本体側軸保持部５１と第２蓋側軸保持部１２との隙間は、他方の第１のＯリング３２によって閉塞されて、隙間から軸挿通孔１０Ｈ内に水等の液体が浸入することを防止する水密状態に保持される。【００３６】
次いで、作業者は、図５Ｃに示すようにヒンジ軸３１を段付き孔１５の第１穴１５ａ側から軸挿通孔１０Ｈを構成する軸用孔１５ｃ、軸貫通孔５３、止まり孔１６に挿通させていく。すると、図５Ｄに示すようにヒンジ軸３１を軸挿通孔１０Ｈ内に配置される。【００３７】
次に、作業者は、図５Ｄに示すように第２のＯリング３４が設けられたヒンジ蓋３３の軸部３５を段付き孔１５の第１穴１５ａ側から軸用孔１５ｃに配置する。その後、作業者は、ヒンジ蓋３３を例えばマイナスドライバーで所定の方向に回転させつつ軸部３５を軸用孔１５ｃに螺合していく。【００３８】
すると、ヒンジ軸３１の先端面が止まり孔１６の底面に向かって移動されていく。また、ヒンジ蓋３３のフランジ部３６が徐々に底面１５ｄに向かって移動されていく。フランジ部３６は、第２のＯリング３４に当接して、該Ｏリング３４を徐々に押し潰していく。【００３９】
その後、作業者が引き続きヒンジ蓋３３を同方向に回転させ続けることによって、図５Ｅに示すように軸部３５が軸用孔１５ｃに予め定めた螺合状態で固定される。【００４０】
この結果、ヒンジ軸３１の先端面が止まり孔１６内に予め定めた状態で配置される。また、第２のＯリング３４がフランジ部３６によって弾性変形されて、軸部３５の外周面、及び、第１穴１５ａの底面１５ｄに密着して第１穴１５ａ側から軸挿通孔１０Ｈ内に液体が浸入することを防止する水密状態に保持される。【００４１】
すなわち、ヒンジ軸３１が配置された摺動部分である軸挿通孔１０Ｈ内は、Ｏリング３２、３３によって水密に保持された密閉空間になる。  
したがって、蓋体１０を装置本体５に対して回動自在に軸支するヒンジ部３０のヒンジ軸３１が水等の液体に接触することが確実に防止される。したがって、ヒンジ部３０のヒンジ軸３１の洗浄が不要になる。【００４２】
なお、図２、図４Ａに示すように第１Ｏリング３２の外周面は、外部に対して露呈している。このため、洗浄作業の際、洗浄ブラシ（不図示）の毛先を第１Ｏリング３２の表面に接触させて洗浄を行えるようになっている。【００４３】
また、図２に示すように本体側軸保持部５１が凹部１０ｂ内に配置された状態において、凹部１０ｂには空間１０ｂｓが形成される。この空間１０ｂｓは、洗浄ブラシが通過可能な大きさである。したがって、洗浄作業の際、空間１０ｂｓ内に洗浄ブラシを配置して凹部１０ｂの内面、本体側軸保持部５１の外表面等の洗浄を行えるようになっている。【００４４】
また、図６に示すようにヒンジ部３０と第１モニタ支持突起６ｂとの第１隙間Ｃ１、第２隙間Ｃ２は、洗浄ブラシが通過可能な大きさである。加えて、本体取付部５ａと第１モニタ支持突起６ｂとの第３隙間Ｃ３も洗浄ブラシが通過可能な大きさであり、本体取付部５ａと第２モニタ支持突起６ｃとの第４隙間Ｃ４も洗浄ブラシが通過可能な大きさである。したがって、洗浄作業の際、洗浄ブラシを隙間Ｃ１、Ｃ２、Ｃ３、Ｃ４に配置させて洗浄を行える。【００４５】
このように、映像表示装置４を操作部３に設けた内視鏡１において、ヒンジ部３０を構成するヒンジ軸３１を水密に保持された密閉空間である軸挿通孔１０Ｈ内に配置している。また、軸挿通孔１０Ｈを密閉空間にする第１のＯリング３２の外周面を外部に対して露呈させている。加えて、洗浄ブラシを通過可能にする空間１０ｂｓ、及び、隙間Ｃ１、Ｃ２、Ｃ３、Ｃ４を設けて部品間を予め離間させている。【００４６】
この結果、本体側軸保持部５１と第１蓋側軸保持部１１との隙間及び本体側軸保持部５１と第２蓋側軸保持部１２との隙間の洗浄を容易に行うことができる。すなわち、ヒンジ軸３１を洗浄消毒すること無く、ヒンジ軸３１周辺の外表面を洗浄消毒することによってヒンジ部３０の洗浄消毒を容易に行うことができる。【００４７】
したがって、内視鏡１において、挿入部２及び操作部３の洗浄消毒に加えて、映像表示装置４の洗浄消毒を容易に行うことができる。【００４８】
なお、上述した実施形態においては、ヒンジ軸３１とヒンジ蓋３３とを別体にしている。しかし、図７Ａに示すようにヒンジ軸付ヒンジ蓋３７を構成するようにしてもよい。【００４９】
ヒンジ軸付ヒンジ蓋３７は、ヒンジ軸３１に対応するヒンジ軸部３７ａと、雄ネジ部を有する軸部３５に対応するネジ部３７ｂと、フランジ部３６と同様なフランジ部３７ｃと、を備えている。  
この構成によれば、ヒンジ軸を配置する作業と、ヒンジ蓋を配置する作業と、を１度に行うことができる。【００５０】
また、図７Ｂに示すように第１蓋側軸保持部１１に加えて、第２蓋側軸保持部１２にも段付き孔１５を設けるようにしてもよい。  
このことによって、ヒンジ軸３１或いはヒンジ軸付ヒンジ蓋３７のヒンジ軸部３７ａを軸挿通孔１０Ｈ内に配置する際、第１蓋側軸保持部１１側に加えて第２蓋側軸保持部１２側からの挿通配置作業が可能になる。また、ヒンジ軸３１を取り外す際には、一方の孔からピンなどを挿入して押すことでヒンジ軸を容易に取り外すことも可能となる。  
この結果、組立性の向上を図ることができる。なお、開放状態である-蓋側軸保持部の段付き孔１５は、ヒンジ蓋３３を螺合配置して第２のＯリング３４によって水密状態に保持される。【００５１】
また、上述した実施形態においては、蓋体１０に一対の蓋側軸保持部１１、１２を設け、本体５に１つの突起部である本体側軸保持部５１を設けている。しかし、図７Ｃに示すように本体５に２つの突起部である本体側軸保持部５５、５６を設け、蓋体１０に１つの蓋側軸保持部１０Ｃを設けてヒンジ部３０を構成するようにしてもよい。【００５２】
蓋側軸保持部１０Ｃには凸部５２ａ、５２ｂに対応するＯリング３２がそれぞれ配置される凸部１０ｄ、１０ｅを設けている。また、蓋側軸保持部１０Ｃには軸貫通孔５３に対応する軸貫通孔１０ｆを設けている。  
一方、第１本体側軸保持部５５には段付き孔１５が設けられ、第２本体側軸保持部５６には止まり孔１６が設けられている。【００５３】
この構成によれば、作業者は、蓋側軸保持部１０Ｃを第１のＯリング３２の弾性力に抗して第１本体側軸保持部５５と第２本体側軸保持部５６との間に配置する。  
この結果、段付き孔１５と、軸貫通孔１０ｆと、止まり孔１６と、でヒンジ軸３１が挿通配置される軸挿通孔１０Ｈが構成される。【００５４】
なお、符号Ｃ５、Ｃ６、Ｃ７は、洗浄ブラシが通過可能な大きさの第５隙間、第６隙間、第７隙間である。  
この構成によれば、上述した実施形態と同様なヒンジ部３０を備えた、洗浄性に優れた内視鏡１を実現できる。【００５５】
ところで、日本国特開２００５−１９２７３８号公報においては、ロック機構を設けることによって蓋体が使用時、或いは、洗浄消毒時等において予期せぬ開放をすることを防止している。ロック機構において、レバーおよび係合部は、筐体の下面と略密着状態になっている。このため、内視鏡を洗浄消毒する際、レバーと筐体との間、係合部と筐体との間を洗浄消毒することが難しくなっている。【００５６】
上述した蓋体１０においては、洗浄性を低下させること無く、使用時、或いは、洗浄消毒時において蓋体が予期せぬ状況下で開放することを防止するロック機構が設けてある。【００５７】
図８に示すように開閉装置２０は、摘まみ２１と、シャフト２２と、ロックプレート２３と、樹脂プレート２４と、一対の固定ネジ２５と、を有している。【００５８】
摘まみ２１は、段付き穴２１ａを有し、大径な蓋用穴２１ｂと、該穴２１ｂより小径なシャフト用穴２１ｃと、を有している。シャフト用穴２１ｃの底面２１ｄの予め定めた位置には固定ネジ２５の一端部側に設けられた雄ネジ部が螺合する２つの雌ねじ部２１ｅが設けられている。【００５９】
シャフト２２の一端部は、摘まみ２１のシャフト用穴２１ｃ内に配置される。シャフト２２の中途部は、蓋体１０に設けられた開閉装置孔１０ｍ内に配置される。シャフト２２の他端部は、蓋体１０の裏面側から突出している。  
シャフト２２の他端部は、蓋体１０が閉状態のとき、収容空間５Ｓ内に位置する。【００６０】
シャフト２２には、長手軸方向に沿って、固定ネジ２５の軸部が配置される２つの貫通孔２２ａ、２２ｂが形成されている。【００６１】
ロックプレート２３は、上記した係止凸部２３ａを有する金属製プレートである。ロックプレート２３は、略円形である。係止凸部２３ａは、予め定めた形状であって、ロックプレート２３の外周面から外方に突出している。【００６２】
ロックプレート２３の一面にはシャフト２２の貫通孔２２ａ、２２ｂに対応する２つ座繰り２３ｂが形成されている。座繰り２３ｂは、穴２３ｃと、貫通孔２３ｄと、を有している。穴２３ｃには固定ネジ２５の基端部に設けられたフランジ２５ｆが配置される。貫通孔２３ｄには固定ネジ２５の軸部が配置される。【００６３】
樹脂プレート２４は、摩擦を低減するための部材である。樹脂プレート２４は、ロックプレート２３と略同様な円形形状であって係止凸部２３ａと略同じ形状の凸部２４ａが設けられている。また、樹脂プレート２４には固定ネジ２５の軸部が配置される２つの貫通孔２４ｂが形成されている。【００６４】
開閉装置２０は、蓋体１０に対して一体に取り付けられている。  
具体的に、シャフト２２の中途部を開閉装置孔１０ｍに配置し、この状態で、シャフト２２の一端部を摘まみ２１のシャフト用穴２１ｃ内に予め定めた状態に配置される。一方、シャフト２２の他端面には樹脂プレート２４及ロックプレート２３が予め定めた状態に配置され、その後、ロックプレート２３の座繰り２３ｂ側から固定ネジ２５を挿通し、該ネジ２５の雄ネジ部を雌ねじ部２１ｅに螺合固定する。この結果、開閉装置２０が蓋体１０に一体に設けられる。  
符号２６はＯリングであって、Ｏリング２６は、蓋体１０と摘まみ２１との隙間を水密に保持する。【００６５】
この構成によれば、摘まみ２１とシャフト２２、樹脂プレート２４、及びロックプレート２３とが一体である。つまり、摘まみ２１を回転操作することにより、樹脂プレート２４の凸部２４ａ及びロックプレート２３の係止凸部２３ａが一体的に回動する。【００６６】
そして、図９に示すように開閉装置２０の樹脂プレート２４の凸部２４ａ及びロックプレート２３の凸部２３ａは、矢印Ｙ９に示すように９０度回転されることによって閉位置に配置されるようになっている。【００６７】
樹脂プレート２４の凸部２４ａは、図１０に示す収容開口５ｍ周囲の装置本体裏側面に設けられているカム面５ｃに対して摺動自在に配置されている。カム面５ｃは、ロック機構であって樹脂プレート２４の凸部２４ａが摺動する、傾斜面５ｓ及び平坦面５ｆを有している。摘まみ２１を回動させた際、樹脂プレート２４の凸部２４ａとカム面５ｃとの摩擦が低減されて摘まみ２１をスムーズに回動操作することができる。【００６８】
図１１に示すように傾斜面５ｓは、摘まみ２１の回転角度が０度から７０度までの間に設けられている。これに対して、平坦面５ｆは、摘まみ２１の回転角度が７０度から９０度までの間に設けられている。平坦面５ｆは、水密状態を維持するための水密維持面である。【００６９】
なお、傾斜面５ｓは、面高さが基準面より連続的に徐々に高くなるように形成されている。平坦面５ｆは、傾斜面５ｓの最も高い面高さを維持している。傾斜面５ｓと平坦面５ｆとは滑らかな面で連続するように形成されている。【００７０】
つまり、開閉装置２０の摘まみ２１は、樹脂プレート２４の凸部２４ａが平坦面５ｆ上に配置された状態において、水密保護部材１４を装置本体５の収容開口５ｍの外側に密着させて蓋体１０を装置本体５に対して閉状態にして、収容空間５Ｓ内に水等の液体が浸入することを防止する水密状態に維持される。【００７１】
ユーザが、開状態の蓋体１０を閉じると、蓋体１０が収容開口５ｍを塞ぐように配置される。このとき、水密保護部材１４が装置本体５の収容開口５ｍの外側に配置される。ここで、ユーザが摘まみ２１を回転操作することによって水密保護部材１４と収容開口５ｍの外側との密着度が徐々に増していく。【００７２】
そして、ユーザが摘まみ２１を、目視にて蓋体１０が閉状態であることを確実に認識できる位置である９０度まで回転させる。すると、蓋体１０が上述した閉状態になって上述した水密状態に維持される。【００７３】
この水密状態において、万一、ユーザが蓋体１０に触れて該蓋体１０の位置を９０度の位置から７０度付近まで移動させてしまった場合であっても、凸部２４ａが平坦面５ｆ上に位置している間、閉状態が継続されて水密状態を維持する。  
すなわち、蓋体１０を含む映像表示装置４の洗浄性を低下させること無く、蓋体１０が使用時、或いは、洗浄消毒時等において予期せぬ開放をすることを確実に防止できる。【００７４】
なお、上述した実施形態においては、水密維持面を回転角度を７０度から９０度までの２０度の範囲としている。しかし、水密維持面を７０度から１００度、或いは、６５度から１０５度など、適宜変更するようにしてもよい。【００７５】
また、傾斜面５ｓの傾斜角度は、図１１に示した角度に限定されるものでは無く、適宜設定される。【００７６】
尚、本発明は、以上述べた実施形態のみに限定されるものではなく、発明の要旨を逸脱しない範囲で種々変形実施可能である。【００７７】
本発明によれば、映像表示装置に設けられた蓋体のヒンジ部の洗浄作業を容易、且つ、確実に行える内視鏡を実現できる。【００７８】
本出願は、２０１６年１月２０日に日本国に出願された特願２０１６−００８６３０号を優先権主張の基礎として出願するものであり、上記の開示内容は、本願明細書、請求の範囲に引用されるものとする。
【図１】
2017126161.tif 000003
【図２】
2017126161.tif 000004
【図３】
2017126161.tif 000005
【図４Ａ】
2017126161.tif 000006
【図４Ｂ】
2017126161.tif 000007
【図５Ａ】
2017126161.tif 000008
【図５Ｂ】
2017126161.tif 000009
【図５Ｃ】
2017126161.tif 000010
【図５Ｄ】
2017126161.tif 000011
【図５Ｅ】
2017126161.tif 000012
【図６】
2017126161.tif 000013
【図７Ａ】
2017126161.tif 000014
【図７Ｂ】
2017126161.tif 000015
【図７Ｃ】
2017126161.tif 000016
【図８】
2017126161.tif 000017
【図９】
2017126161.tif 000018
【図１０】
2017126161.tif 000019
【図１１】
2017126161.tif 000020
【手続補正書】
【提出日】平成29年3月29日(2017.3.29)
【手続補正１】
【補正対象書類名】明細書
【補正対象項目名】０００８
【補正方法】変更
【補正の内容】
【０００８】
本発明の一態様における内視鏡は、収納部を有する装置本体と、前記収納部の開口を閉塞可能な蓋体と、前記蓋体を前記装置本体に対して回動自在に軸支するヒンジ軸と、前記装置本体の前記開口より外側に形成され、前記ヒンジ軸が挿通配置される第１の孔を有する本体側軸保持部と、前記蓋体に形成され、前記ヒンジ軸が挿通配置される第２の孔を有し、前記本体側軸保持部に隣設される蓋側軸保持部と、前記ヒンジ軸の外側に設けられ、前記第１の孔および前記第２の孔への液体の侵入を防止するシール部材と、を備えている。
【手続補正２】
【補正対象書類名】特許請求の範囲
【補正対象項目名】全文
【補正方法】変更
【補正の内容】
【特許請求の範囲】
【請求項１】
収納部を有する装置本体と、
前記収納部の開口を閉塞可能な蓋体と、
前記蓋体を前記装置本体に対して回動自在に軸支するヒンジ軸と、
前記装置本体の前記開口より外側に形成され、前記ヒンジ軸が挿通配置される第１の孔を有する本体側軸保持部と、
前記蓋体に形成され、前記ヒンジ軸が挿通配置される第２の孔を有し、前記本体側軸保持部に隣設される蓋側軸保持部と、
前記ヒンジ軸の外側に設けられ、前記第１の孔および前記第２の孔への液体の侵入を防止するシール部材と、
を備えることを特徴とする内視鏡。
【請求項２】
前記シール部材は、
前記ヒンジ軸の外周側であって、前記蓋側軸保持部と前記本体側軸保持部との間に介装され、前記蓋側軸保持部と前記本体側軸保持部との隙間から前記第１の孔への液体の侵入を防止する第１のシール部材と、
前記蓋側軸保持部、または、前記本体側軸保持部の一方に設けられた前記ヒンジ軸が挿入されるヒンジ軸挿入口部の内側に配置され、前記第２の孔への液体の侵入を防止する第２のシール部材と、
を有することを特徴とする請求項１に記載の内視鏡。
【請求項３】
前記ヒンジ軸挿入口部にはヒンジ蓋が設けられ、前記第２のシール部材は前記ヒンジ軸挿入口部と前記ヒンジ蓋との間に介装されることを特徴とする請求項２に記載の内視鏡。
【請求項４】
前記第１のシール部材は、該第１のシール部材の外表面を外部に対して露出して配置されることを特徴とする請求項３に記載の内視鏡。
【請求項５】
前記本体側軸保持部を前記装置本体の予め定めた位置に１つ設け、
前記蓋体に前記本体側軸保持部に対して挟持配置される２つの蓋側軸保持部を設ける構成において、
前記２つの蓋側軸保持部の少なくとも一方に前記ヒンジ軸挿入口部を設けることを特徴とする請求項３に記載の内視鏡。
【請求項６】
前記蓋側軸保持部を前記蓋体の予め定めた位置に１つ設け、
前記装置本体に前記蓋側軸保持部に対して挟持配置される２つの本体側軸保持部を設ける構成において、
前記２つの本体側軸保持部の少なくとも一方に前記ヒンジ軸挿入口部を設けたことを特徴とする請求項３に記載の内視鏡。
【請求項７】
前記ヒンジ軸と前記ヒンジ蓋とは一体であることを特徴とする請求項３に記載の内視鏡。
【手続補正書】
【提出日】平成29年8月3日(2017.8.3)
【手続補正１】
【補正対象書類名】明細書
【補正対象項目名】０００８
【補正方法】変更
【補正の内容】
【０００８】
本発明の一態様における内視鏡は、内視鏡挿入部の基端側に設けられた操作部に取り付けられた映像表示装置を備え、前記映像表示装置は、収納部を有する装置本体と、前記収納部の開口を閉塞可能な蓋体と、前記蓋体を前記装置本体に対して回動自在に軸支するヒンジ軸と、前記装置本体の前記開口より外側に形成され、前記ヒンジ軸が挿通配置される孔を有する本体側軸保持部と、前記蓋体に形成され、前記ヒンジ軸が挿通配置される孔を有し、前記本体側軸保持部に隣設される蓋側軸保持部と、前記ヒンジ軸の外周側であって、前記蓋側軸保持部と前記本体側軸保持部との間に介装され、前記蓋側軸保持部と前記本体側軸保持部との隙間から前記ヒンジ軸への液体の侵入を防止する第１のシール部材と、前記蓋側軸保持部、または、前記本体側軸保持部の一方に設けられた前記ヒンジ軸が挿入されるヒンジ軸挿入口部内に配置されるヒンジ蓋と、前記ヒンジ軸挿入口部内に設けられ、前記ヒンジ軸挿入口部と前記ヒンジ蓋との隙間から前記ヒンジ軸への液体の侵入を防止する第２のシール部材と、を備えている。
【手続補正２】
【補正対象書類名】特許請求の範囲
【補正対象項目名】全文
【補正方法】変更
【補正の内容】
【特許請求の範囲】
【請求項１】
内視鏡挿入部の基端側に設けられた操作部に取り付けられた映像表示装置を備え、
前記映像表示装置は、
収納部を有する装置本体と、
前記収納部の開口を閉塞可能な蓋体と、
前記蓋体を前記装置本体に対して回動自在に軸支するヒンジ軸と、
前記装置本体の前記開口より外側に形成され、前記ヒンジ軸が挿通配置される孔を有する本体側軸保持部と、
前記蓋体に形成され、前記ヒンジ軸が挿通配置される孔を有し、前記本体側軸保持部に隣設される蓋側軸保持部と、
前記ヒンジ軸の外周側であって、前記蓋側軸保持部と前記本体側軸保持部との間に介装され、前記蓋側軸保持部と前記本体側軸保持部との隙間から前記ヒンジ軸への液体の侵入を防止する第１のシール部材と、
前記蓋側軸保持部、または、前記本体側軸保持部の一方に設けられた前記ヒンジ軸が挿入されるヒンジ軸挿入口部内に配置されるヒンジ蓋と、
前記ヒンジ軸挿入口部内に設けられ、前記ヒンジ軸挿入口部と前記ヒンジ蓋との隙間から前記ヒンジ軸への液体の侵入を防止する第２のシール部材と、
を備えることを特徴とする内視鏡。
【請求項２】
前記第１のシール部材は、該第１のシール部材の外表面を外部に対して露出して配置されることを特徴とする請求項１に記載の内視鏡。
【請求項３】
前記本体側軸保持部を前記装置本体の予め定めた位置に１つ設け、
前記蓋体に前記本体側軸保持部に対して挟持配置される２つの蓋側軸保持部を設ける構成において、
前記２つの蓋側軸保持部の少なくとも一方に前記ヒンジ軸挿入口部を設けることを特徴とする請求項１に記載の内視鏡。
【請求項４】
前記蓋側軸保持部を前記蓋体の予め定めた位置に１つ設け、
前記装置本体に前記蓋側軸保持部に対して挟持配置される２つの本体側軸保持部を設ける構成において、
前記２つの本体側軸保持部の少なくとも一方に前記ヒンジ軸挿入口部を設けたことを特徴とする請求項１に記載の内視鏡。
【請求項５】
前記ヒンジ軸と前記ヒンジ蓋とは一体であることを特徴とする請求項１に記載の内視鏡。
【国際調査報告】
2017126161.tif 000021
2017126161.tif 000022
2017126161.tif 000023
2017126161.tif 000024